(57)【特許請求の範囲】
【請求項１】
装置本体壁面から突出し、該装置長手方向と交差する方向に押圧操作する操作ボタンを備えた持ち運び可能な点火装置において、
前記操作ボタンの周辺の装置本体壁面に、前記操作ボタンの正規の操作によらない押圧力の操作ボタンへの伝達を規制するガード壁を設けたことを特徴とする点火装置のガード構造。
【請求項２】
燃料ガスを貯蔵するガスタンクと、該ガスタンクからのガス通路を開閉する弁機構と、装置長手方向の前端部に配置され前記弁機構から延長通路を介して供給される燃料を噴射する噴射ノズルと、該噴射ノズルから噴射される燃料ガスに点火する点火機構を備え、装置本体壁面から突出し、該装置長手方向と交差する方向への操作により前記弁機構および前記点火機構を作動させ燃料ガスを着火させる操作ボタンを備えた棒状の点火装置において、
前記操作ボタンの周辺の装置本体壁面に、前記操作ボタンの正規の操作によらない押圧力の操作ボタンへの伝達を規制するガード壁を設けたことを特徴とする点火装置のガード構造。
【請求項３】
ガード壁を操作ボタンの三方を囲むようリブ状に設けた請求項１または２記載の点火装置装置長手方向と平行のガード構造。
【請求項４】
ガード壁は操作ボタンの支点部周辺を囲み、操作ボタン後方に支柱を立設した請求項１または２記載の点火装置のガード構造。
【発明の詳細な説明】
【０００１】
【発明の属する技術分野】
この発明は、点火装置のガード構造に関し、特に、不用意な誤作動を防止するように構成したものである。
【０００２】
【従来の技術】
従来から、例えば花火等の点火に適した点火装置として、実用新案登録第2573995号公報に記載されているような、細長い装置本体の一端側にガスタンクを備え、ガスタンクの上部にガス通路を開閉する弁機構を備えるとともに、弁機構から装置本体の他端側へガス通路が延設されて、その先端に噴射ノズルが配設され、また、外部から操作可能なレバー式の操作ボタンに連動して放電電圧を給電する圧電ユニットが配設され、この圧電ユニットの給電動作に連動して弁機構を開くレバー機構が設けられて、外部からの操作レバーの操作により圧電ユニットが動作し、その圧電ユニットの動作に連動して弁機構がガス通路を開いて噴射ノズルから燃料ガスが噴出させ、また、圧電ユニットが放電電圧が発生して、その放電電圧が噴射ノズルの近傍に設けられた放電端子と噴射ノズル先端のノズルチップとの間に印加されて噴出した燃料ガスを着火させるよう構成された持ち運び可能な棒状の点火装置、すなわち点火棒が開発されている。この公報記載の点火棒は、本体ケースに操作ボタン用の窓が設けられ、この窓に指を入れて操作ボタンを押圧操作する。この場合、操作ボタンの操作方向は着火方向、すなわち装置長手方向と平行で、窓枠に相当する部分が指の入るスペースを確保して装置長手方向、すなわち操作方向に平行な面内で操作ボタンの外周を囲み、それにより、操作ボタンの誤作動を防止するガード構造を構成している。
【０００３】
また、それとは別に、着火方向（装置長手方向）と交差する方向へ操作する操作ボタンを備えた点火棒があり、この場合には、誤作動を防止するため、操作ボタンの動きを規制するロック部材が設けられている。
【０００４】
【発明が解決しようとする課題】
上記公報に記載の点火棒は、操作ボタンの操作方向が着火方向すなわち装置長手方向と平行で、装置長手方向すなわち操作方向に平行な面内で操作ボタンの外周を囲むガード構造を有するため、指を入れて実際に操作ボタンを操作しない限り単に誤って落としたり踏み付けたりしただけで不用意に着火するようなことはないが、ガード構造の成形において、金型が複雑になって歩留まりが悪くなり、製造コストが高くなる。
【０００５】
その点、着火方向すなわち装置長手方向と交差する方向へ操作する操作ボタンを備えた点火棒は、操作部が目立たないため、例えば仏壇用の点火棒としてデザインするなど、用途に合わせたデザインの自由度が大きい。しかしながら、この場合、装置長手方向と交差する方向へ操作する操作ボタンは、ロック部材が設けられ、ロックを解除しないと作動しないよう構成されてはいるが、使用後にロック解除の状態で放置された場合、落とした時の衝撃や、床に転がっていて足で踏み付けられただけで不用意な着火を引き起こす可能性がある。
【０００６】
したがって、装置長手方向と交差する方向へ操作する操作ボタンを備えた持ち運び可能な点火装置において、デザインの自由度を確保しつつ、不用意な誤作動を防止できるようにすることが課題である。
【０００７】
【課題を解決するための手段】
この発明は、装置本体壁面から突出し、この装置長手方向と交差する方向に押圧操作する操作ボタンを備えた持ち運び可能な点火装置において、操作ボタンの周辺の装置本体壁面に、操作ボタンの正規の操作によらない押圧力の操作ボタンへの伝達を規制するガード壁を設けたものであり、特に、燃料ガスを貯蔵するガスタンクと、ガスタンクからのガス通路を開閉する弁機構と、装置長手方向の前端部に配置され弁機構から延長通路を介して供給される燃料を噴射する噴射ノズルと、噴射ノズルから噴射される燃料ガスに点火する点火機構を備え、装置長手方向と交差する方向への操作により前記弁機構および前記点火機構を作動させ燃料ガスを着火させる操作ボタンを備えた棒状の点火装置すなわち点火棒に適用するのが好適である。
【０００８】
この場合、点火装置は、着火方向すなわち装置長手方向と交差する方向へ操作する操作ボタンを備えたものであって、操作部が目立たないため、例えば仏壇用の点火棒としてデザインするなど、用途に合わせたデザインの自由度が元々大きいものである。そして、そのような装置長手方向と交差する方向へ操作する操作ボタンを備えた点火装置において、操作ボタンの周辺の装置本体壁面に、操作ボタンの正規の操作によらない押圧力の操作ボタンへの伝達を規制するガード壁を設けたことにより、誤って落としたり踏み付けたときに放電電圧を発生する程の押圧力が操作ボタンに作用することがなく、不用意に着火するのを防止できる。しかも、ガード構造は、操作ボタンの周辺の装置本体壁面に設けたガード壁によって構成されるもので、それ自体多様なデザインが可能で、目立たないようにでき、装置全体のデザインの自由度を保てる。
【０００９】
ガード壁は、操作ボタンの三方を囲むようにリブ状に設けるのがよく、そうすることにより、指で操作ボタンを押す正規の操作は支障なく行え、落としたり踏み付けたときに床面等から受ける衝撃や押圧力が操作ボタンに伝達されるのを規制できる。
【００１０】
【発明の実施の形態】
以下、この発明の実施の形態を図面に基づいて説明する。
【００１１】
図１に点火棒に適用したこの発明の実施の形態の各例を示す。そして、その一例（図１（ａ）に示す例）に係る点火棒のガード構造の作用を図２に示し、点火棒の構成を図３〜図６に示す。
【００１２】
図１（ａ）〜（ｄ）に示す点火棒１Ａ〜１Ｄ（点火装置）は、いずれも仏壇用にデザインされたものであって、シェル状の表ケース２ａおよび裏ケース２ｂからなる二つ割りの本体ケース２の先端にキャップ３が組み付けられ、底部に後述の底板４（図１には表れず）が組み付けられている。そして、装置長手方向と交差する方向へ操作する押圧レバー式の操作ボタン５が裏ケース２ｂ上部の穴から突出する形で配設されている。また、操作ボタン５の押圧部側の端部をロックするロック部材６が裏ケース２ｂの壁面を挟んでスライド自在に装着されている。そして、操作ボタン５の指を載せる側の端部を除く三方を囲むようにリブ状のガード壁７Ａ〜７Ｄが形成されている。
【００１３】
ガード壁７Ａ〜７Ｄは、押圧部側に指による操作ボタン５の押圧操作に支障がないだけのスペースを確保しつつ、操作ボタン５に正規の操作によらない押圧力が伝達されるるのを規制できる形状および高さに設定されるものである。
【００１４】
例えば、図１（ａ）に示す例では、ガード壁７Ａは、操作ボタン５の支点部の周辺から押圧部にかかる位置までの三方を囲む範囲に、裏ケース２ｂの穴に沿って設けられ、支点部と押圧部との中間位置が操作ボタン５の最大出張り高さより若干低いが、着火に至る押し込み位置の高さよりは高い最大高さで、支点部側および押圧部側に徐々に低くなる形状とされたものである。このガード壁７Ａは、点火棒１Ａを誤って落としたり踏み付けたりしたときの正規の操作によらない押圧力の操作ボタン５への伝達を規制し、放電電圧が発生する程の押圧力が操作ボタン５に作用しないようにするためのガード構造を構成するものである。このようなガード壁７Ａを有することにより、点火棒１Ａがロック解除のまま例えば床面に転がっていて、図２（ａ）に矢印で示すように踏み付けられた場合、図２（ｂ）に示すようにガード壁７Ａが支えになってケース本体２と床面との間に隙間ができ、そのため、操作ボタン５は一定限度以上押し込まれず、不用意な誤作動が防止される。
【００１５】
図１（ｂ）の例は、操作ボタン５の支点部の周辺から押圧部にかかる位置までの三方を囲む範囲に、裏ケース２ｂの穴に沿って高さ略一定のガード壁７Ｂが設けられたものである。また、図１（ｃ）の例は、操作ボタン５の支点部の周辺から押圧部の後方までの範囲に、裏ケース２ｂの穴に沿って高さ略一定のガード壁７Ｃが設けられたものである。さらに、図１（ｄ）の例は、操作ボタン５の支点部の周辺および押圧部の前方を囲むようにガード壁７Ｄを設け、さらに操作ボタン５の後方に支柱８を立設したものである。これらの例でも、ガード壁７Ｂ、７Ｃ、７Ｄおよび支柱８が、操作ボタン５の不用意な誤作動を防止するためのガード構造として機能し同様の作用を奏する。
【００１６】
次に、図１（ａ）の例について点火棒１Ａの他の構成を説明する。図１（ｂ）〜（ｄ）に示す他の例の点火棒１Ｂ〜１Ｄも、ガード構造以外は（ａ）の点火棒１Ａと同じ構成である。
【００１７】
点火棒１Ａは図３〜図６に示すとおりで、上述のようにシェル状の表ケース２ａと裏ケース２ｂとで本体ケース２が構成されている。そして、本体ケース２の先端にキャップ３が組み付けられ、底部に底板４が組み付けられている。
【００１８】
本体ケース２の内部には、底部側に燃料ガスを貯蔵するガスタンク10が配設されている。ガスタンク10は、合成樹脂製の成形品からなる有底筒状のタンク本体11と、後述の弁機構20を保持してタンク本体11の上面に気密に固定されタンク本体11の内部にブタンガス等の燃料ガスが貯蔵されるタンク室12を構成する合成樹脂製の上蓋13と、後述の圧電ユニット40を保持し回動レバー43を支持して上蓋13の上面に嵌着される合成樹脂製のブラケット14とで構成されている。
【００１９】
タンク本体11の上蓋13には、ガスタンク10からのガス通路を開閉して燃料ガスの供給および遮断を制御するとともに燃料ガスの噴出量を制御する弁機構20が保持されている。この弁機構20はそれ自体公知の構造で、ガスタンク10から液状の燃料ガスを吸い上げるための芯21を保持した芯ホルダー22を挟んで、ガス通路並びに弁座を構成するノズル底23が気密に嵌着され、そのノズル底23の上部にノズルネジ24が装着され、ノズルネジ24を貫通してノズル部材25が配設されている。ノズル部材25は弁ゴムを装着した下端部がノズル底23の弁座位置に達し、ノズルネジ24の内部に配置されたノズル・スプリング26によりノズル底23の弁座部に向けて付勢され、上部は本体ケース２の隔壁部に固定されたジョイント27に挿入支持されている。ノズル部材25は、常時はノズル・スプリング26の付勢力により下部先端の弁ゴムがノズル底23の弁座部に着座してガス通路を閉じる。そして、後述の回動レバー43がノズル部材25を持ち上げることによってガス通路が開く。また、ノズルネジ24の先端外周に螺着嵌合されたリングから延びて二つ割りの本体ケース２の割り嵌合部に形成された穴から外部に突出する炎調整つまみ28を動かすことにより、ノズルネジ24が回り、噴出量が調整される。
【００２０】
本体ケース２の先端内部には表ケース２ａと裏ケース２ｂとでノズルホルダー部29が構成され、このノズルホルダー部29に先端外方に向け噴射ノズル30が配設されている。そして、弁機構20から燃料ガスを噴射ノズル30に供給するよう、ジョイント27と噴射ノズル30との間にガスパイプ31が配設されている。また、ノズルホルダー部29には、放電点火による着火性を高めるためのスリットの入った断熱リング32が噴射ノズル30の先端を囲むように配設されている。
【００２１】
また、本体ケース２の内部には圧電ユニット40が配設されている。圧電ユニット40は、放電電圧を給電するためのそれ自体公知の構造のものであって、タンク本体10のブラケット14に保持され、操作ボタン５の押圧動作に伴って、リンク41を介してメカホルダー42が押し下げられることにより、放電電圧を発生するよう構成されている。
【００２２】
タンク本体10のブラケット14には、また、圧電ユニット40に連動して弁機構20を開き燃料ガスを噴出させるための略Ｌ字状の回動レバー43が支持されている。また、圧電ユニット40のメカホルダー42には、操作ボタン５の押圧動作に連動してメカホルダー42が押し下げられたときに回動レバー43を押してノズル部材25を持ち上げる方向に回動させるためのレバー押し44が取り付けられている。
【００２３】
操作ボタン５は、上述のように裏ケース２ｂ上部の穴から出張る形で配設されたもので、リンク41と係合した状態で一端支持部の左右一対のピン５ａ、５ｂを支点として支持され、他端押圧部が装置長手方向と交差する方向に押圧されることにより回動し、リンク41を介して圧電ユニット40のメカホルダー42を押し下げるよう構成されている。また、その操作ボタン５の押圧部側の端部下端に入り込んで操作ボタン５の押圧動作を阻止するロック位置と、操作ボタン５の押圧部側の端部下端から外れて操作ボタン５の押圧動作を許容するロック解除位置とに切り替え可能なよう、裏ケース２ｂの壁面を挟んでスライド自在にロック部材６が装着されている。そして、上述のように、操作ボタン５の支点部の周辺から押圧部にかかる位置までの三方を囲む範囲に、裏ケース２ｂの穴に沿って、支点部と押圧部との中間位置が操作ボタン５の最大出張り高さより若干低く着火に至る押し込み位置の高さよりは高い最大高さで、支点部側および押圧部側に徐々に低くなる形状にガード壁７Ａが形成されている。
【００２４】
キャップ３は、本体ケース２の先端から突出し断熱リング32を取り囲むよう配置されるもので、金属のプレス品で形成され、本体ケース２の先端にフック止め式に嵌着される。キャップ３の先端面中央には炎が通る火口３ａが開口し、その後部には両側面に複数のエア導入口３ｂが開口し、前面にキャップの一部が内側に切り起こされてなる放電電極45が設けられている。
【００２５】
底板４は、本体ケース２の底部に形成された段差空間に押し込まれ、フック構造により表ケース２ａと裏ケース２ｂとを挟み込んで固定するよう構成されている。
【００２６】
圧電ユニット40のメカホルダー42に取り付けられた上記レバー押し44は放電電圧の一方の電極端子を兼ねるもので、回動レバー43は導電性樹脂で形成され、レバー押し44から回動レバー43を経てノズル部材25を介しジョイント27に導通されている。そして、そのジョイント27と装置先端部の噴射ノズル30との間に導線（図示せず）が配設され、ジョイント27を介し噴射ノズル30に通電可能とされている。また、放電電極の他方の電極をキャップ３に導通するよう本体ケース２にプラス端子46が配設されている。プラス端子46は、一端が本体ケース２の内側にあって圧電ユニット40のメカホルダー42に露出した電極端子に摺接し、他端がキャップ３の内側に嵌まり込むよう本体ケース２の外に曲折した配置とされる。こうして噴射ノズル30に一方の極が導通すると共に、キャップ３に形成された放電電極45に他極が導通し、圧電ユニット40の両極が電気的に接続される。
【００２７】
この点火棒１Ａは、指で操作ボタン５を押し下げると、リンク41を介して圧電ユニット40のメカホルダー42が押し下げられる。そして、そのメカホルダーの押圧移動に伴ってレバー押し44が移動し、そのレバー押し44に押された回動レバー43がノズル部材25を持ち上げ、それにより、弁機構20が開き、ガスパイプ31を経て噴射ノズル30から燃料ガスが噴出する。また、メカホルダー42の移動に伴って圧電ユニット40に放電電圧が発生し、この放電電圧がプラス端子46と導線を介してキャップ３の放電電極45と噴射ノズル30の間に放電され、それにより噴出ガスが着火する。そして、そのまま操作ボタンを押し続けることにより、着火し炎が出た状態に保持される。そして、操作ボタン５から指を離すと、圧電ユニット40のメカホルダー42が圧電ユニット40内部の戻しバネの反発力で元の位置に復帰し、回動レバー43がレバー押し44による押圧から解放されて、ノズルスプリング26の反発力でノズル部材25が元の位置まで下がり、弁機構20が閉じガス通路が遮断されて、炎が消える。
【００２８】
なお、以上説明した図示の例は仏壇用にデザインされたものであるが、この発明は勿論それ以外に各種用途の点火装置にも適用できるものであり、また、棒状の点火装置に限らず点火装置一般に広く適用できるものである。
【００２９】
【発明の効果】
以上で説明したとおり、この発明の点火装置によれば、装置長手方向と交差する方向へ操作する操作ボタンを備えた点火装置のデザインの自由度を確保しつつ、操作ボタンの周辺の装置本体壁面に設けたガード壁によって操作ボタンの正規の操作によらない押圧力の操作ボタンへの伝達を規制し、誤って落としたり踏み付けたときの不用意な着火を防止することができる。
【図面の簡単な説明】
【図１】この発明の実施の形態の各例を示す点火棒の斜視図（ａ）〜（ｄ）、
【図２】図１（ａ）に示す点火棒のガード構造の作用を説明する図（ａ）および（ｂ）、
【図３】図１（ａ）に示す点火棒の背面視縦断面図、
【図４】図１（ａ）に示す点火棒の上面図、
【図５】図１（ａ）に示す点火棒の側面視縦断面図、
【図６】図１（ａ）に示す点火棒の操作状態を示す側面視縦断面図である。
【符号の説明】
１Ａ、１Ｂ、１Ｃ、１Ｄ  点火棒
２  本体ケース
５  操作ボタン
７Ａ、７Ｂ、７Ｃ、７Ｄ  ガード壁
８  支柱
10  ガスタンク
20  弁機構
30  噴射ノズル
40  圧電ユニット（点火機構）
【図１】
0003659843.tif 000002
【図２】
0003659843.tif 000003
【図３】
0003659843.tif 000004
【図４】
0003659843.tif 000005
【図５】
0003659843.tif 000006
【図６】
0003659843.tif 000007